(57)【要約】【課題】  センサ異常やコントロール部の誤動作にかかわらず、庫内温度を最適な状態に維持することが可能な信頼性にすぐれた冷凍機の制御システムを提供する。【解決手段】  異常時、庫内温度サーモ７の開閉によって電磁開閉弁５への通電を直接的に制御する。【選択図】図３
2005037036.tif 000002
【特許請求の範囲】
【請求項１】
庫内を冷却するための熱交換器を備え、この熱交換器への冷媒流路に電磁開閉弁を設けた冷凍機において、前記庫内の温度を検知する庫内温度センサと、前記庫内の温度に応じて開閉する接点式の庫内温度サーモと、双方向性接点を有する第１開閉器と、開閉接点を有する第２開閉器と、前記双方向性接点の常開側および前記開閉接点を介して前記電磁開閉弁に対し形成された通電路と、前記双方向性接点の常閉側および前記庫内温度サーモを介して前記電磁開閉弁に対し形成された通電路と、前記第１開閉器をオンし且つ前記庫内温度センサの検知温度に応じて前記第２開閉器をオン，オフ制御する制御手段と、異常を検出する検出手段と、この検出手段による異常の検出時に前記第１開閉器をオフする異常処理手段と、を備えたことを特徴とする冷凍機の制御システム。
【請求項２】
請求項１に記載の冷凍機の制御システムにおいて、
前記制御手段は、前記各開閉器およびコントロール部を有する入出力ユニットと、この入出力ユニットのコントロール部に通信線接続された中央制御ユニットとからなり、前記庫内温度センサの検知温度データをコントロール部から中央制御ユニットに送り、その検知温度データに基づく前記各開閉器への制御指令を中央制御ユニットからコントロール部に送ることを特徴とする冷凍機の制御システム。
【請求項３】
請求項２に記載の冷凍機の制御システムにおいて、
前記コントロール部は、前記中央制御ユニットからの制御指令に応じて前記各開閉器を制御する、
前記検出手段は、前記庫内温度センサの異常を検出する手段と、前記コントロール部と前記中央制御ユニットとの間の通信異常を検出する手段と、前記コントロール部の異常を検出する監視部とを有する、
ことを特徴とする冷凍機の制御システム。
【請求項４】
庫内を冷却するための熱交換器を備え、この熱交換器への冷媒流路に電磁開閉弁を設けた冷凍機において、前記庫内の温度を検知する庫内温度センサと、前記庫内の温度に応じて開閉する接点式の庫内温度サーモと、前記庫内温度センサの検知温度に応じて前記電磁開閉弁を開閉制御する制御手段と、異常を検出する検出手段と、この検出手段による異常の検出時に前記電磁開閉弁の開閉制御を前記庫内温度サーモに依存する異常処理手段と、を備えたことを特徴とする冷凍機の制御システム。
【発明の詳細な説明】
【技術分野】
【０００１】
この発明は、冷蔵ショーケースなどの冷凍機の制御システムに関する。
【背景技術】
【０００２】
冷蔵ショーケースなどの冷凍機は、庫内を冷却するための熱交換器、この熱交換器への冷媒の流入を制御するための開閉弁を備え、庫内温度に応じて開閉弁の開閉を制御することにより、庫内温度を最適な温度に保つようにしている。
【０００３】
この冷蔵ショーケースの例として、複数のショーケース（冷却庫）にそれぞれ熱交換器および開閉弁を備え、これら開閉弁を集中管理装置で一括管理するものがある（例えば、特許文献１）
【特許文献１】特開平１０−２７４４６１号公報
【発明の開示】
【発明が解決しようとする課題】
【０００４】
一般に、冷蔵ショーケースでは、庫内温度を検知するために庫内温度センサを用いるが、その庫内温度センサに異常が生じて適正な温度検知ができなくなると、庫内が冷えなかったり逆に冷え過ぎるなどの不具合を生じてしまう。
【０００５】
また、制御用として搭載されているマイクロコンピュータ等のコントロール部が迷走して誤動作した場合にも、適切な温度制御が不可能となってしまう。
【０００６】
この発明は、上記の事情を考慮したもので、センサ異常やコントロール部の誤動作にかかわらず、庫内温度を最適な状態に維持することが可能な信頼性にすぐれた冷凍機の制御システムを提供することを目的としている。
【課題を解決するための手段】
【０００７】
請求項１に係る発明は、庫内を冷却するための熱交換器を備え、この熱交換器への冷媒流路に電磁開閉弁を設けた冷凍機において、庫内の温度を検知する庫内温度センサと、庫内の温度に応じて開閉する接点式の庫内温度サーモと、双方向性接点を有する第１開閉器と、開閉接点を有する第２開閉器と、上記双方向性接点の常開側および上記開閉接点を介して上記電磁開閉弁に対し形成された通電路と、上記双方向性接点の常閉側および上記庫内温度サーモを介して上記電磁開閉弁に対し形成された通電路と、上記第１開閉器をオンし且つ上記庫内温度センサの検知温度に応じて上記第２開閉器をオン，オフ制御する制御手段と、異常を検出する検出手段と、この検出手段による異常の検出時に上記第１開閉器をオフする異常処理手段と、を備えている。
【発明の効果】
【０００８】
この発明では、異常時に庫内温度サーモによって電磁開閉弁への通電を直接的に制御することにより、センサ異常やコントロール部の誤動作にかかわらず、各ショーケースの庫内温度を最適な状態に維持することができ、冷蔵ショーケースとしての高い信頼性を確保することができる。
【発明を実施するための最良の形態】
【０００９】
［１］以下、第１の実施形態について図面を参照して説明する。  
この発明に係る冷凍機の構成を図１に示している。１０は熱源機で、圧縮機１、室外熱交換器（凝縮器）２、および室外ファン３を有している。圧縮機１から吐出される冷媒は、室外熱交換器（凝縮器）２に供給され、そこで外気に熱を放出して凝縮する。凝縮した液冷媒は、複数のショーケース１１ａ，１１ｂ，…１１ｎに供給される。ショーケース１１ａ，１１ｂ，…１１ｎは、それぞれ熱交換器（蒸発器）４、電磁開閉弁５、庫内温度センサ６、および庫内温度サーモ７を有している。
【００１０】
上記電磁開閉弁５が開くと熱交換器４に液冷媒が流れ、その液冷媒がショーケースの庫内空気から熱を奪って蒸発する。蒸発した冷媒ガスは、熱源機１０の圧縮機１に吸込まれる。庫内温度センサ６は、ショーケースの庫内空気の温度Ｔｃを検知する。庫内温度サーモ７は、ショーケースの庫内空気の温度Ｔｃが設定値未満のときに閉じて設定値以上のときに開く接点式のものである。
【００１１】
上記熱源機１０は店舗の外に設置され、ショーケース１１ａ，１１ｂ，…１１ｎは店舗内の壁などに沿って設置される。
【００１２】
そして、図２に示すように、熱源機１０およびショーケース１１ａ，１１ｂ，…１１ｎの制御用として、中央制御ユニット２０および入出力ユニット３０，３１ａ，３１ｂ，…３１ｎが設けられ、これら中央制御ユニットおよび入出力ユニットが通信線４０により相互接続されることにより冷凍機の制御手段が構成されている。
【００１３】
中央制御ユニット２０は、商用交流電源５０を動作電源とし、入出力ユニット３０，３１ａ，３１ｂ，…３１ｎを統括的に制御するもので、各ショーケースから離れた従業員室などに設置される。この中央制御ユニット２０に対し、通信ネットワーク回線２１を介して監視装置２２が接続されている。監視装置２２は、店舗から離れた管理センタなどに設置され、監視用のモニタおよび操作部を有し、各ショーケースの庫内温度Ｔｃのデータを中央制御ユニット２０を通じて収集しモニタ表示したり、各入出力ユニットから報知される異常や故障をモニタ表示する機能を有するとともに、操作部の操作に応じて熱源機１０の運転や各ショーケースの冷却運転を個々に強制停止する機能も有している。
【００１４】
入出力ユニット３０は、商用交流電源６０を動作電源とし、中央制御ユニット２０の指令に応じて熱源機１０における圧縮機１の運転／停止を制御する。
【００１５】
入出力ユニット３１ａ，３１ｂ，…３１ｎは、商用交流電源６０を動作電源とし、ショーケース１１ａ，１１ｂ，…１１ｎにおける庫内温度センサ６の検知温度データを中央制御ユニット２０に送り、その中央制御ユニット２０からの指令に応じてショーケース１１ａ，１１ｂ，…１１ｎにおける電磁開閉弁５の開閉を制御する。
【００１６】
中央制御ユニット２０の動作電源と入出力ユニット３０，３１ａ，３１ｂ，…３１ｎの動作電源を別系統としたが、共通の系統としてもよい。
【００１７】
入出力ユニット３１ａ，３１ｂ，…３１ｎおよびショーケース１１ａ，１１ｂ，…１１ｎにおける電気回路の具体例を図３に示す。図３では、入出力ユニット３１ａおよびショーケース１１ａにおける電気回路のみ示しているが、他の入出力ユニットおよびショーケースにおける電気回路も同じ構成である。
【００１８】
まず、入出力ユニット３１ａは、制御の中枢としてコントロール部（ＭＣＵ）３０を有する。このコントロール部３０に、通信部３１、センサ入力部３２、メモリ３３、監視部たとえばウォッチ・ドッグ・タイマ（ＷＤＴ）３４、ノア回路３５、リレー駆動回路３６が接続されている。
【００１９】
通信部３１は、上記通信線４０に接続され、コントロール部３０と中央制御ユニット２０との間のデータの相互通信を行う。センサ入力部３２は、上記庫内温度センサ６に接続され、庫内温度センサ６の検知温度を表わすデータをコントロール部３０に入力する。メモリ３３は、各種データの記憶用として用意されている。
【００２０】
ウォッチ・ドッグ・タイマ３４は、コントロール部３０の異常を検出する検出手段として機能するもので、コントロール部３０の状態を定期的に監視し、コントロール部３０が正常に動作していれば異常なしとして論理“０”信号を出力するが、コントロール部３０に迷走などの誤動作が生じた場合には異常ありとして論理“１”信号を出力する。このウォッチ・ドッグ・タイマ３４の出力信号が、コントロール部３０から発せられるリレー制御信号Ｒ１とともに、ノア回路３５に入力される。ノア回路３５は、ウォッチ・ドッグ・タイマ３４の出力信号およびリレー制御信号Ｒ１が共に論理“０”のときだけ、論理“１”信号を出力する。
【００２１】
リレー駆動回路３６は、ノア回路３５の出力信号が論理“１”の場合に第１開閉器であるところのリレー３７をオン（付勢）し、ノア回路３５の出力信号が論理“０”の場合にリレー３７をオフ（消勢）する。また、リレー駆動回路３６は、コントロール部３０から供給されるリレー制御信号Ｒ２が論理“１”の場合に第２開閉器であるところのリレー３８をオン（付勢）し、リレー制御信号Ｒ２が論理“０”の場合にリレー３８をオフ（消勢）する。
【００２２】
リレー３７は、双方向性接点３７ａを有する。リレー３８は、開閉接点として常開接点３８ａを有する。この双方向性接点３７ａの常開側および常開接点３８ａを介して、ショーケース１１ａの電磁開閉弁５に対する通電路が形成されている。さらに、双方向性接点３７ａの常閉側（常閉接点）および上記庫内温度サーモ７を介して、電磁開閉弁５に対する通電路が形成されている。これら通電用として、交流電源電圧２００Ｖがショーケース１１ａに供給されている。
【００２３】
コントロール部３０は、異常を検出する検出手段として、当該コントロール部３０と中央制御ユニット２０との間の通信異常を検出する手段、および庫内温度センサ６の検知温度Ｔｃの異常を検出する手段を有する。
【００２４】
つぎに、上記の構成の作用を図４のフローチャートを参照しながら説明する。  
各ショーケースの庫内温度Ｔｃが庫内温度センサ６で検知され、その検知温度Ｔｃのデータがコントロール部３０に読込まれる（ステップ１０１）。コントロール部３０では、検知温度Ｔｃが正常であるか否かが判定される。たとえば、検知温度Ｔｃがメモリ３３に予め記憶されている規定温度範囲に収まっていれば、検知温度Ｔｃが正常であると判定される。庫内温度センサ６の故障などにより、検知温度Ｔｃが極端に低かったり高かったりして上記規定温度範囲から外れていれば、検知温度Ｔｃが異常であると判定される。
【００２５】
また、コントロール部３０では、中央制御ユニット２０との間の実際のデータ通信により、通信が正常であるか否かが判定される。たとえば、中央制御ユニット２０に対するデータ送信に対して中央制御ユニット２０から適切な応答があれば、通信が正常であると判定される。この場合、コントロール部３０から論理“０”のリレー制御信号Ｒ２が出力される。中央制御ユニット２０側の商用交流電源５０が停電やブレーカオフによって遮断されると、中央制御ユニット２０の動作が停止し、その中央制御ユニット２０からコントロール部３０への応答が無くなる。この場合には、通信異常であると判定される。この通信異常に際し、コントロール部３０から論理“１”のリレー制御信号Ｒ２が出力される。
【００２６】
さらに、コントロール部３０の状態がウォッチ・ドッグ・タイマ３４によって定期的に監視されており、コントロール部３０が正常に動作していれば、ウォッチ・ドッグ・タイマ３４から論理“０”信号が出力される。コントロール部３０に迷走などの誤動作があれば、ウォッチ・ドッグ・タイマ３４から論理“１”信号が出力される。
【００２７】
リレー制御信号Ｒ２およびウォッチ・ドッグ・タイマ３４の出力信号が共に論理“０”であれば、ノア回路３５の出力信号が論理“１”となる。この論理“１”出力により、リレー３７がオン（付勢）される。リレー制御信号Ｒ２およびウォッチ・ドッグ・タイマ３４の出力信号の少なくとも一方が論理“１”になると、ノア回路３５の出力信号が論理“０”となる。この論理“０”出力により、リレー３７がオフ（消勢）される。
【００２８】
したがって、検知温度Ｔｃが正常で（ステップ１０２のＹＥＳ）、しかも通信およびコントロール部３０が正常であれば（ステップ１０３のＹＥＳ）、ノア回路３５の出力信号が論理“１”となる。これにより、リレー３７がオンされ、その双方向性接点３７ａの常開側が閉成する（ステップ１０４）。同時に、コントロール部３０から中央制御ユニット２０へ検知温度Ｔｃのデータが送られる（ステップ１０５）。
【００２９】
検知温度Ｔｃのデータを受けた中央制御ユニット２０では、予め定められている設定値と検知温度Ｔｃとが比較される。設定値については、ショーケースごとに固有の値が定められている。検知温度Ｔｃが設定値より高ければ、冷却オンの制御指令が中央制御ユニット２０からコントロール部３０に送られる。検知温度Ｔｃが設定値以下であれば、冷却オフの制御指令が中央制御ユニット２０からコントロール部３０に送られる。
【００３０】
コントロール部３０からは、冷却オンの制御指令に応じて論理“１”のリレー制御信号Ｒ２が出力され、冷却オフの制御指令に応じて論理“０”のリレー制御信号Ｒ２が出力される。このリレー制御信号Ｒ２に応じてリレー３８がオン，オフ制御され、その接点３８ａが開閉する（ステップ１０６）。
【００３１】
接点３８ａが閉成すると、電磁開閉弁５が通電され、電磁開閉弁５が開放する。この開放により、熱交換器４に冷媒が流入し、ショーケースの庫内空気が冷却される。接点３８ａがオフすると、電磁開閉弁５への通電が遮断され、電磁開閉弁５が閉成する。この閉成により、熱交換器４への冷媒の流入が遮断され、冷却が中断する。こうして、庫内温度Ｔｃが設定値一定に維持される。
【００３２】
なお、中央制御ユニット２０は、各ショーケースの庫内温度Ｔｃの全てが設定値以下になると、熱源機１０の運転を停止する。また、中央制御ユニット２０は、各ショーケースの庫内温度Ｔｃのうち、ほとんどのショーケースの庫内温度Ｔｃが設定値以下に達し、少数たとえば１台のショーケースの庫内温度Ｔｃだけが設定値より高い場合には、その庫内温度Ｔｃがある程度の冷却温度まで達していることを条件に（設定値に近い）、省エネルギの観点から、熱源機１０の運転を停止する。
【００３３】
通信異常に際しては（ステップ１０３のＮＯ）、コントロール部３０から論理“１”のリレー制御信号Ｒ２が出力されて、ノア回路３５の出力信号が論理“０”となる。これにより、リレー３７がオフされ、その双方向性接点３７ａの常閉側が閉成する（ステップ１０７）。双方向性接点３７ａの常閉側が閉成すると、電磁開閉弁５への通電制御が庫内温度サーモ７に依存した形となり、電磁開閉弁５への通電が庫内温度サーモ７の開閉のみによって制御される。すなわち、庫内温度Ｔｃが設定値より高い場合は、庫内温度サーモ７がオンして電磁開閉弁５が通電され、電磁開閉弁５が開放する。この開放により、熱交換器４に冷媒が流入し、ショーケースの庫内空気が冷却される。庫内温度Ｔｃが設定値以下になると、庫内温度サーモ７がオフして電磁開閉弁５への通電が遮断され、電磁開閉弁５が閉成する。この閉成により、熱交換器４への冷媒の流入が遮断され、冷却が中断する。こうして、庫内温度Ｔｃがほぼ一定値に維持される。
【００３４】
コントロール部３０に迷走などの誤動作が生じると（ステップ１０３のＮＯ）、ウォッチ・ドッグ・タイマ３４の出力信号が論理“１”となり、ノア回路３５の出力信号が論理“０”となる。これにより、リレー３７がオフされ、その双方向性接点３７ａの常閉側が閉成する（ステップ１０７）。この閉成により、通信異常の場合と同じく、庫内温度サーモ７によって電磁開閉弁５の開閉が制御される。
【００３５】
検知温度Ｔｃに異常が生じた場合には（ステップ１０２のＮＯ）、その異常の旨がコントロール部３０から中央制御ユニット２０に報知される（ステップ１０８）。この報知は、中央制御ユニット２０から通信ネットワーク回線２１を介して監視装置２２にも伝達される。同時に、コントロール部３０からそれぞれ論理“１”のリレー制御信号Ｒ１，Ｒ２が出力されて、リレー３７，３８がオフされる（ステップ１０９）。これにより、通信異常やコントロール部３０の異常の場合と同じく、庫内温度サーモ７によって電磁開閉弁５の開閉が制御される。
【００３６】
すなわち、何も異常が無い場合は、中央制御ユニット２０、コントロール部３０、ノア回路３５、リレー駆動回路３６などが、リレー３７をオンし且つ庫内温度センサ６の検知温度Ｔｃに応じてリレー３８をオン，オフ制御する制御手段として機能する。検知温度Ｔｃの異常時は、コントロール部３０、ノア回路３５、リレー駆動回路３６などが、リレー３７をオフする異常処理手段として機能する。通信異常に際しては、コントロール部３０、ノア回路３５、リレー駆動回路３６などが、リレー３７をオフする異常処理手段として機能する。コントロール部３０の誤動作などの異常に際しては、コントロール部３０、ウォッチ・ドッグ・タイマ３４、ノア回路３５、リレー駆動回路３６などが、リレー３７をオフする異常処理手段として機能する。
【００３７】
以上のように、コントロール部３０と中央制御ユニット２０との間の通信異常、あるいはコントロール部３０の異常、あるいは検知温度Ｔｃの異常が生じた場合に、庫内温度サーモ７によって電磁開閉弁５への通電を直接的に制御することにより、上記各異常にかかわらず、各ショーケースの庫内温度を最適な状態に維持することができる。よって、冷蔵ショーケースとしての高い信頼性を確保することができる。
【００３８】
なお、従来の冷蔵ショーケースでは、図３に破線で示しているように、交流電源電圧２００Ｖが庫内温度サーモ７を介して電磁開閉弁５に印加される回路構成であり、庫内温度サーモ７が標準部品として備わっている。したがって、本実施形態の場合、従来からの標準部品である庫内温度サーモ７をそのまま利用しながら入出力ユニット３１ａ，３１，…３１ｎを追加した回路構成を採用することが可能であり、庫内温度サーモ７を活用できるという点でコストの低減が図れる。
【００３９】
［２］第２の実施形態について説明する。  
庫内温度センサ６の検知温度Ｔｃに対する設定値が、メモリ３３に予め記憶されている。コントロール部３０と中央制御ユニット２０との間の通信異常に際し、検知温度Ｔｃとメモリ３３内の設定値との比較に応じたリレー制御信号Ｒ１がコントロール部３０から発せられる。これにより、通信異常にかかわらず、各ショーケースの適切な庫内温度制御を継続することができる。この場合、検知温度Ｔｃの変化が温度履歴データとしてメモリ３３に記憶され、通信異常が解消されたときにその温度履歴データが中央制御ユニット２０に送られる。
【００４０】
他の構成および作用については、第１の実施形態と同じである。よって、その説明は省略する。
【００４１】
［３］第３の実施形態について説明する。  
入出力ユニット３１ａ，３１ｂ，…３１ｎおよびショーケース１１ａ，１１ｂ，…１１ｎにおける電気回路の具体例を図５に示している。図５では、入出力ユニット３１ａおよびショーケース１１ａにおける電気回路のみ示しているが、他の入出力ユニットおよびショーケースにおける電気回路も同じ構成である。
【００４２】
すなわち、リレー３８が除去されている。これに伴い、常開接点３８ａを介した電磁開閉弁５への通電路が除去されるとともに、コントロール部３０のリレー制御信号Ｒ２が除去される。
【００４３】
このような構成によれば、検知温度Ｔｃが正常で、コントロール部３０と中央制御ユニット２０との間の通信が正常で、しかもコントロール部３０が正常の場合に、検知温度Ｔｃに基づく中央制御ユニット２０からの制御指令に応じたリレー制御信号Ｒ１がコントロール部３０から発せられる。このリレー制御信号Ｒ１に基づいて、リレー３７がオン，オフ制御し、リレー３７の双方向性接点３７ａの常閉側が開閉して、電磁開閉弁４への通電が制御される。
【００４４】
この場合、庫内温度サーモ７の開閉作動がリレー３７のオン，オフ制御の邪魔にならないよう、庫内温度サーモ７の開放作動点が、検知温度Ｔｃに対する設定値よりも低い値に設定される。
【００４５】
コントロール部３０に迷走などの誤動作が生じた場合には、ウォッチ・ドッグ・タイマ３４の出力信号が論理“１”となり、ノア回路３５の出力信号が論理“０”となる。これにより、リレー３７がオフされ、その双方向性接点３７ａの常閉側が閉成する。この閉成により、庫内温度サーモ７によって電磁開閉弁５の開閉が制御される。
【００４６】
検知温度Ｔｃに異常が生じた場合には、コントロール部３０から論理“１”のリレー制御信号Ｒ１が出力されて、リレー３７がオフされる。よって、コントロール部３０の異常時と同じく、庫内温度サーモ７によって電磁開閉弁５の開閉が制御される。
【００４７】
他の構成および作用については、第１の実施形態と同じである。よって、その説明は省略する。
【００４８】
このように、通信異常、コントロール部３０の異常、検知温度Ｔｃの異常にかかわらず、各ショーケースの庫内温度を最適な状態に維持することができる。よって、冷蔵ショーケースとしての高い信頼性を確保することができる。
【００４９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５０】
【図１】この発明の各実施形態に係る冷凍機の構成を示す図。
【図２】この発明の第１の実施形態の構成を示すブロック図。
【図３】この発明の第１の実施形態における入出力ユニットおよびショーケースの電気回路を示すブロック図。
【図４】この発明の第１の実施形態の作用を説明するためのフローチャート。
【図５】この発明の第３の実施形態における入出力ユニットおよびショーケースの電気回路を示すブロック図。
【符号の説明】
【００５１】
１…圧縮機、２…室外熱交換器、４…熱交換器、５…電磁開閉弁、６…庫内温度センサ、７…庫内温度サーモ、１０…熱源機、１１ａ，１１ｂ，…１１ｎ……ショーケース、２０…中央制御ユニット、２１…通信ネットワーク回線、２２…監視装置、３０…入出力ユニット、３１ａ，３１ｂ，…３１ｎ……入出力ユニット、３０…コントロール部、３１…通信部、３２…センサ入力部、３３…メモリ、３４…ウォッチ・ドッグ・タイマ、３５…ノア回路、３６…リレー駆動回路、３７…リレー（第１開閉器）、３８…リレー（第２開閉器）、４０…通信線、５０，６０…商用交流電源、
【図１】
2005037036.tif 000003
【図２】
2005037036.tif 000004
【図３】
2005037036.tif 000005
【図４】
2005037036.tif 000006
【図５】
2005037036.tif 000007